(57)【要約】【課題】非接触通信によって供給される電力による発光する発光媒体において、誤動作を生じさせることなく点滅発光を行う。【解決手段】電力供給源から照射される電磁波を受信し、該電磁波の強さに応じた起電力を発生させるアンテナ２１と、アンテナ２１にて発生した起電力に応じて電流を出力する定電流回路４３と、供給された電流によって発光する発光部を構成する表示電極３１ａ〜３１ｃと、表示電極３１ａ〜３１ｃと並列に接続されたバイパス回路３７と、定電流供給回路４３から出力された電流を発光部３０とバイパス回路３７とに交互に供給する切り替え制御部４４及びスイッチ回路４５とを有する。【選択図】図２
2010282417.tif 000002
【特許請求の範囲】
【請求項１】
電力供給源から照射される電磁波を受信し、該電磁波によって起電力を発生させるアンテナと、前記アンテナにて発生した起電力によって電流を出力する電流供給手段と、供給された電流によって発光する発光手段とを有し、前記電流供給手段から出力された電流を前記発光手段に断続的に供給することにより前記発光手段を点滅発光させる発光媒体であって、
前記発光手段に並列に接続されたバイパス回路と、
前記電流供給手段から出力された電流を前記発光手段と前記バイパス回路とに交互に供給する電流切り替え手段とを有する発光媒体。
【発明の詳細な説明】
【技術分野】
【０００１】
本発明は、非接触通信によって供給される電力によって発光するカード等の発光媒体に関し、特に、点滅発光によって生じる電圧変動による誤動作防止技術に関する。
【背景技術】
【０００２】
近年、情報化社会の進展に伴って、情報をカードに記録し、該カードを用いた情報管理や決済等が行われている。このような情報管理や決済等に用いられるカードは、ＩＣチップが内蔵されたＩＣカードや、磁気により情報が書き込まれた磁気カード等があり、専用の装置を用いて情報の書き込み及び読み出しが行われる。
【０００３】
さらに、ＩＣカードにおいては、情報の書き込み及び読み出しを専用の装置に接触させることにより行う接触型ＩＣカードと、専用の装置に近接させるだけで情報の書き込み及び読み出しを行うことができる非接触型ＩＣカードとがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みあるいは読み出しを行う際、カードを取り出して専用の装置に挿入する必要がなく取り扱いに便利なため、そのカード及び該カードに書き込まれた情報を読み取るための装置の急速な普及が進みつつある。
【０００４】
近年、このような非接触型ＩＣカードに発光機能を付加したものが考えられており、例えば、特許文献１に開示されている。この特許文献１に開示された非接触型ＩＣカードは、リーダライタに近接することによって起電力が生じた場合に、有機ＥＬ素子を発光させ、メモリに書き込まれた情報を表示することができるように構成されている。また、このような非接触型ＩＣカードにおいては、リーダライタに近接させた場合に有機ＥＬ素子をＯＮ／ＯＦＦ制御することにより点滅発光する構成とすれば、発光状態を認識しやすくすることができる。
【先行技術文献】
【特許文献】
【０００５】
【特許文献１】特開２００８−２１７２１５号公報
【発明の概要】
【発明が解決しようとする課題】
【０００６】
上述したように有機ＥＬ素子を点滅発光させる場合、リーダライタに近接することによって生じた起電力による電流を有機ＥＬ素子に断続的に供給することによって行うことになるが、このように有機ＥＬ素子への電流の供給を断続的に行った場合、有機ＥＬ素子に電流が供給されている場合と有機ＥＬ素子に電流が供給されていない場合とで負荷の大きさが変化することにより、そのために入力電圧が変化してしまい、その結果、有機ＥＬ素子の点滅周期が不安定になる等、有機ＥＬ素子の発光動作が誤動作してしまうという問題点がある。
【０００７】
本発明は、上述したような従来の技術が有する問題点に鑑みてなされたものであって、非接触通信によって供給される電力により発光する発光媒体において、誤動作を生じさせることなく点滅発光を行うことができる発光媒体を提供することを目的とする。
【課題を解決するための手段】
【０００８】
上記目的を達成するために本発明は、
電力供給源から照射される電磁波を受信し、該電磁波によって起電力を発生させるアンテナと、前記アンテナにて発生した起電力によって電流を出力する電流供給手段と、供給された電流によって発光する発光手段とを有し、前記電流供給手段から出力された電流を前記発光手段に断続的に供給することにより前記発光手段を点滅発光させる発光媒体であって、
前記発光手段に並列に接続されたバイパス回路と、
前記電流供給手段から出力された電流を前記発光手段と前記バイパス回路とに交互に供給する電流切り替え手段とを有する。
【０００９】
上記のように構成された本発明においては、電力供給源から照射される電磁波がアンテナにて受信され、アンテナにて受信された電磁波によって起電力が発生すると、電流供給手段においてアンテナにて発生した起電力によって電流が出力される。電流供給手段から出力された電流が発光手段に供給されると、発光手段が、供給された電流によって発光するが、発光手段にはバイパス回路が並列に接続されており、電流供給手段から出力された電流は、電流切り替え手段によって発光手段とバイパス回路とに交互に供給される。このため、発光手段には、電流供給手段から出力された電流が断続的に供給されることになり、電流供給手段から出力された電流が発光手段に供給されている状態においては発光手段が発光し、電流供給手段から出力された電流がバイパス回路に供給されている状態においては発光手段が発光せずに、発光手段の点滅発光が行われることになる。ここで、発光手段が発光していない状態においては、電流供給手段から出力された電流がバイパス回路に供給されているので、発光手段が発光している状態に対して負荷が変動することがなく、それにより、発光手段の点滅周期が不安定になる等、発光手段の発光動作が誤動作してしまうことがなくなる。
【発明の効果】
【００１０】
以上説明したように本発明においては、電力供給源から照射される電磁波を受信し、該電磁波によって起電力を発生させるアンテナと、アンテナにて発生した起電力によって電流を出力する電流供給手段と、供給された電流によって発光する発光手段とを有し、電流供給手段から出力された電流を発光手段に断続的に供給することにより発光手段を点滅発光させる発光媒体であって、発光手段に並列に接続されたバイパス回路と、電流供給手段から出力された電流を発光手段とバイパス回路とに交互に供給する電流切り替え手段とを有する構成としたため、発光手段が発光していない状態においては、電流供給手段から出力された電流がバイパス回路に供給されることになり、それにより、発光手段が発光している状態と発光していない状態とで負荷が変動することがなくなり、誤動作を生じさせることなく発光手段の点滅発光を行うことができる。
【図面の簡単な説明】
【００１１】
【図１】本発明の発光媒体の実施の一形態を示す図であり、（ａ）は表面図、（ｂ）は（ａ）に示したＡ−Ａ’断面図、（ｃ）は内部構造を示す図である。
【図２】図１に示した制御回路の一構成例を示すブロック図である。
【図３】図１及び図２に示したカードの動作を説明するための図である。
【図４】図１及び図２に示したカードにおいて、切り替え制御部の制御によってスイッチ回路のＯＮ／ＯＦＦ状態が切り換えられた状態における動作を説明するための図であり、（ａ）はスイッチ回路がＯＦＦ状態の場合を示す図、（ｂ）はスイッチ回路がＯＮ状態の場合を示す図である。
【図５】図１及び図２に示したカードにおける点滅発光による制御回路からの出力電流の変化を示す図である。
【図６】図１に示した制御回路の他の構成例を示すブロック図である。
【図７】図６に示した制御回路を有するカードを用いて決済を行う場合の動作を説明するためのフローチャートである。
【発明を実施するための形態】
【００１２】
以下に、本発明の実施の形態について図面を参照して説明する。
【００１３】
図１は、本発明の発光媒体の実施の一形態を示す図であり、（ａ）は表面図、（ｂ）は（ａ）に示したＡ−Ａ’断面図、（ｃ）は内部構造を示す図である。
【００１４】
本形態は図１に示すように、絶縁材料からなる基板２０と、透明な材料からなる保護フィルム３４と、表面シート１０とが積層され、透明な粘着剤１５によってこれらが互いに接着されて構成されたカード１である。
【００１５】
基板２０には、保護フィルム３４との積層面に、コイル状のアンテナ２１が基板２０の外周に沿って形成されているとともに、アンテナ２１の内側の領域に表示電極３１ａ〜３１ｃが形成されている。この表示電極３１ａ〜３１ｃはそれぞれ、カード１にて表示すべき情報を示す形状を有し、表示電極３１ａは“Ａ”、表示電極３１ｂは“Ｂ”、表示電極３１ｃは“Ｃ”の形状を有している。表示電極３１ａ〜３１ｃ上には、有機ＥＬ素子からなる有機ＥＬ発光層３３がそれぞれ積層されており、この有機ＥＬ発光層３３を覆うようにＩＴＯ３２が積層されている。これら表示電極３１ａ〜３１ｃ、有機ＥＬ発光層３３及びＩＴＯ３２から発光手段となる発光部３０が構成されている。また、基板２０の保護フィルム３４との積層面には、アンテナ２１にて生じた起電力に基づいて表示電極３１ａ〜３１ｃ及びＩＴＯ３２を介して有機ＥＬ発光層３３に電流を供給する制御回路３５が設けられており、アンテナ２１は制御回路３５と接続され、表示電極３１ａ〜３１ｃ及びＩＴＯ３２は、基板２０上に形成された配線パターン３６ａ，３７ｂを介して制御回路３５にそれぞれ接続されている。
【００１６】
有機ＥＬ発光層３３は、例えばポリシラン誘導体を含む有機ＥＬ素子からなり、表示電極３１ａ〜３１ｃを介して電流が供給されると、ポリシラン誘導体が発光し、その発光状態がＩＴＯ３２、保護フィルム３４及び表面シート１０を介して視認されることになる。この有機ＥＬ発光層３３は、表示電極３１ａ〜３１ｃと同一の形状を有するものであれば、表示電極３１ａ〜３１ｃを介して電流が供給された場合に、表示電極３１ａ〜３１ｃの形状に発光することができるが、表示電極３１ａ〜３１ｃをそれぞれ覆うように表示電極３１ａ〜３１ｃよりも大きな形状を有するものとすることにより、表示電極３１ａ〜３１ｃ間、または、表示電極３１ａ〜３１ｃとＩＴＯ３２との間における電気的短絡を防止することができるようになる。
【００１７】
表面シート１０は、表示電極３１ａ〜３１ｃ及び有機ＥＬ発光層３３に対向する領域に、表示電極３１ａ〜３１ｃ及び有機ＥＬ発光層３３と同一形状を有する窓部１１ａ〜１１ｃが形成されている。この窓部１１ａ〜１１ｃは、表面シート１０が透明な材料から構成され、窓部１１ａ〜１１ｃ以外の領域が着色されることにより形成される。
【００１８】
図２は、図１に示した制御回路３５の一構成例を示すブロック図である。
【００１９】
本例における制御回路３５は図２に示すように、アンテナ２１にて発生した起電力による電圧を整流する整流回路４１と、整流回路４１にて整流された電圧を、有機ＥＬ発光層３３が所定の明るさを具備する発光状態となるために十分な電圧まで昇圧するとともに、その上限電圧を制限して出力する昇圧定電圧回路４２と、昇圧定電圧回路４２から出力された電圧が所定値以上となった場合に、その電圧に応じた電流を出力する定電流回路４３と、表示電極３１ａ〜３１ｃと並列に接続されたバイパス回路３７と、定電流回路４３から出力された電流のバイパス回路３７への供給を制御する電流切り替え手段を構成する切り替え制御部４４及びスイッチ回路４５とから構成されており、整流回路４１、昇圧定電圧回路４２及び定電流回路４３から電流供給手段が構成されている。また、バイパス回路３７は、定電流回路４３の出力と接地間において、発光部３０を構成する表示電極３１ａ〜３１ｃと並列に接続されており、それにより、定電流回路４３から出力された電流は、表示電極３１ａ〜３１ｃとバイパス回路３７とに供給可能となっている。また、バイパス回路３７は、その抵抗値が表示電極３１ａ〜３１ｃの抵抗値に比べてかなり小さいものであるため、スイッチ回路４５がＯＮ状態になると、定電流回路４３から出力された電流が表示電極３１ａ〜３１ｃには流れずにバイパス回路３７のみに流れることになる。そのため、切り換え制御部４４によって切り換えられるスイッチ回路４５のＯＮ／ＯＦＦ状態に応じて、定電流回路４３から出力された電流が、表示電極３１ａ〜３１ｃとバイパス回路３７とに交互に供給されることになる。なお、図１に示したＩＴＯ３２については、図示していないが、表示電極３１ａ〜３１ｃと直列に接続されることにより、定電流回路４３から出力された電流が供給されることになる。
【００２０】
以下に、上記のように構成されたカード１の動作について説明する。
【００２１】
まず、図１及び図２に示したカード１の基本動作について説明する。
【００２２】
図３は、図１及び図２に示したカード１の動作を説明するための図である。
【００２３】
図１に示したカード１を動作させる場合は、図３（ａ）に示すように、コイル状のアンテナ２ａが内蔵されたリーダライタ２にカード１を近接させる。リーダライタ２は、アンテナ２ａに流れる電流によって、アンテナ２ａのコア部分から放出される方向に磁界が発生している。この状態で、カード１をリーダライタ２に近接させると、アンテナ２ａを流れる電流によって発生した磁界が、カード１のアンテナ２１に照射されてアンテナ２１のコイル状のコア部分を貫通し、電磁誘導により、カード１のアンテナ２１にて起電力が生じる。
【００２４】
アンテナ２１にて起電力が生じると、まず、制御回路３５の整流回路４１において、アンテナ２１にて生じた起電力による電圧が整流され、次に、制御回路３５の昇圧定電圧回路４２において、整流回路４１にて整流された電圧が、有機ＥＬ発光層３３が所定の明るさを具備する発光状態となるために十分な電圧まで昇圧されるとともに、その上限電圧が制限して出力される。なお、アンテナ２１にて生じる起電力は、アンテナ２ａを流れる電流によって発生した磁界がアンテナ２１のコイル状のコア部分を貫通する磁束密度の大きさに応じたものとなっており、カード１がリーダライタ２に近いほどアンテナ２１にて生じる起電力は大きなものとなる。また、昇圧定電圧回路４２においては、例えば、入力される電圧に対して３倍の昇圧度を有しており、また、出力電圧の上限として１５Ｖが設定されている。そのため、整流回路４１から出力された電圧が５Ｖとなるまで、入力された電圧に対して３倍の電圧が出力され、整流回路４１から出力された電圧が５Ｖとなった場合に１５Ｖの電圧が出力され、その後は、整流回路４１から出力された電圧が５Ｖ以上となっても１５Ｖの電圧が出力される。なお、出力電圧の上限値は、有機ＥＬ発光層３３が所定の明るさを具備する発光状態となるために十分な値として設定されており、有機ＥＬ発光層３３の発光によって得たい明るさに応じて適宜設定することができる。
【００２５】
その後、制御回路３５の定電流回路４３において、昇圧定電圧回路４２から出力された電圧に応じた電流が出力される。そして、定電流回路４３から出力された電流が、表示電極３１ａ〜３１ｃ及びＩＴＯ３２に供給されると、表示電極３１ａ〜３１ｃとＩＴＯ３２とに挟み込まれた有機ＥＬ発光層３３が、表示電極３１ａ〜３１ｃの形状に発光し、その発光状態が、図３（ｂ）に示すように、ＩＴＯ３２、保護フィルム３４及び表面シート１０の窓部１１ａ〜１１ｃを介して視認されることになる。
【００２６】
次に、本形態の特徴について説明する。
【００２７】
図４は、図１及び図２に示したカード１において、切り替え制御部４４の制御によってスイッチ回路４５のＯＮ／ＯＦＦ状態が切り換えられた状態における動作を説明するための図であり、（ａ）はスイッチ回路４５がＯＦＦ状態の場合を示す図、（ｂ）はスイッチ回路４５がＯＮ状態の場合を示す図である。
【００２８】
図１及び図２に示したカード１においては、整流回路４１にて整流された電圧が、昇圧定電圧回路４２に供給されるとともに切り替え制御部４４にも供給される。切り替え制御部４４においては、タイマ回路（不図示）が内蔵されており、このタイマ回路を用いてスイッチ回路４５のＯＮ／ＯＦＦ状態が所定時間毎に交互となるように制御される。そのため、スイッチ回路４５は、所定時間毎にＯＮ／ＯＦＦ状態が切り替わることになる。
【００２９】
スイッチ回路４５がＯＦＦ状態の場合においては、図４（ａ）に示すように、表示電極３１ａ〜３１ｃに並列に接続されたバイパス回路３７がスイッチ回路４５によって開放状態となっている。そのため、定電流回路４３から出力された電流Ｉoutは、バイパス回路３７には流れずに、表示電極３１ａ〜３１ｃに供給されることになる。これにより、有機ＥＬ発光層３３が表示電極３１ａ〜３１ｃの形状に発光し、その発光状態が、図３（ｂ）に示したように、ＩＴＯ３２、保護フィルム３４及び表面シート１０の窓部１１ａ〜１１ｃを介して視認されることになる。この際、表示電極３１ａ〜３１ｃに供給される電流ＩLは、定電流回路４３から出力された電流Ｉoutとほぼ等しいものとなる。
【００３０】
また、スイッチ回路４５がＯＮ状態の場合においては、図４（ｂ）に示すように、表示電極３１ａ〜３１ｃに並列に接続されたバイパス回路３７がスイッチ回路４５によって導通状態となっている。そのため、定電流回路４３から出力された電流Ｉoutは、バイパス回路３７に流れることになるが、バイパス回路３７の抵抗値４が、上述したように表示電極３１ａ〜３１ｃの抵抗値に比べてかなり小さいものであるため、スイッチ回路４５がＯＮ状態の場合においては、定電流回路４３から出力された電流は表示電極３１ａ〜３１ｃには流れずにバイパス回路３７のみに供給されて流れることになる。これにより、有機ＥＬ発光層３３は発光しない。この際、バイパス回路３７に流れる電流ＩSは、定電流回路４３から出力された電流Ｉoutとほぼ等しいものとなる。
【００３１】
このように、定電流回路４３から出力された電流が表示電極３１ａ〜３１ｃとバイパス回路３７とに交互に供給されることにより、定電流回路４３から出力された電流が表示電極３１ａ〜３１ｃに断続的に供給されて有機ＥＬ発光層３３の点滅発光が行われることになる。
【００３２】
図５は、図１及び図２に示したカード１における点滅発光による制御回路３５からの出力電流の変化を示す図である。
【００３３】
上述したように、切り換え制御部４４の制御によって、スイッチ回路４５はＯＮ／ＯＦＦ状態が所定時間毎に切り替わる。そして、図５に示すように、スイッチ回路４５がＯＦＦ状態においては、定電流回路４３から出力された電流Ｉoutは、バイパス回路３７には流れずに、電流ＩLとして表示電極３１ａ〜３１ｃに供給され、また、スイッチ回路４５がＯＮ状態においては、定電流回路４３から出力された電流Ｉoutは、表示電極３１ａ〜３１ｃには供給されずに、電流ＩSとしてバイパス回路３７のみに供給されることになる。
【００３４】
このように、定電流回路４３から出力された電流Ｉoutが、有機ＥＬ発光層３３を点滅発光させるために表示電極３１ａ〜３１ｃに供給されない状態においても、バイパス回路３７に供給されて電流ＩSとして流れるため、有機ＥＬ発光層３３が発光している状態に対して負荷が変動することがなく、それにより、図５に示すように、入力電圧が変動せず、有機ＥＬ発光層３３の点滅周期が不安定になる等、有機ＥＬ発光層３３の発光動作が誤動作してしまうことがなくなる。
【００３５】
上述した本形態においては、非接触状態にて外部から供給される電力によって情報を表示する機能のみを有するカード１を例に挙げて説明したが、一般的な非接触型ＩＣカードのように、情報の書き込みや読み出しが可能なＩＣチップを搭載し、非接触状態にて情報の書き込みや読み出しを可能とする機能を付加することもできる。
【００３６】
図６は、図１に示した制御回路３５の他の構成例を示すブロック図である。
【００３７】
本例における制御回路３５は図６に示すように、図２に示したものに対して、整流機能や変復調機能を具備し、アンテナ２１を介してリーダライタ２（図３参照）との間にて情報の送受信を行う無線部４６と、情報が記憶されたメモリ４８と、無線部４６における情報の送受信動作を制御する通信制御部４７と、整流回路４１と昇圧定電圧回路４２及び切り替え制御部４４との接続を切り離すためのスイッチ回路５０と、通信制御部４７の制御によって整流回路４１と昇圧定電圧回路４２及び切り替え制御部４４との接続を切り離すための信号をスイッチ回路５０に対して出力するＩ／Ｆ部４９とが新たに設けられている点が異なるものである。
【００３８】
以下に、上記のように構成された制御回路３５を有するカード１の動作について、カード１を用いて決済を行う場合を例に挙げて説明する。
【００３９】
図７は、図６に示した制御回路３５を有するカード１を用いて決済を行う場合の動作を説明するためのフローチャートである。
【００４０】
図６に示した制御回路３５を有するカード１を用いて決済を行うために、図３に示したものと同様にカード１をリーダライタ２に近接させると、上述したようにアンテナ２１に起電力が生じ、リーダライタ２とカード１との間にて非接触通信が開始されるとともに（ステップＳ１）、上述した有機ＥＬ発光層３３の点滅発光動作が開始する。
【００４１】
そして、通信制御部４７の制御によって、メモリ４８に記憶された情報が読み出され、その情報が無線部４６及びアンテナ２１を介してリーダライタ２に送信されたり、リーダライタ２から送信された情報がアンテナ２１及び無線部４６を介して通信制御部４７に受信されたりすることにより、所定の決済処理が行われる（ステップＳ２）。
【００４２】
決済が完了していない状態においては、通信制御部４７を構成するＩＣチップのうち、整流回路４１と昇圧定電圧回路４２及び切り替え制御部４４との接続を切り離すための信号を出力するポート端子がＨＩＧＨレベルとなっており（ステップＳ３）、このＨＩＧＨレベルによる信号がＩ／Ｆ部４９を介してスイッチ回路５０に供給されている。スイッチ回路５０を構成するスイッチング素子は、ＨＩＧＨレベルによる信号が供給されている場合は導通状態となっており（ステップＳ４）、それにより、整流回路４１と昇圧定電圧回路４２及び切り替え制御部４４とが接続された状態となり、上述したような有機ＥＬ発光層３３の点滅発光動作が行われている。
【００４３】
その後、決済が完了すると、通信制御部４７を構成するＩＣチップの上記ポート端子がＬＯＷレベルとなり（ステップＳ５）、このＬＯＷレベルによる信号がＩ／Ｆ部４９を介してスイッチ回路５０に供給される。スイッチ回路５０を構成するスイッチング素子は、ＬＯＷレベルによる信号が供給されている場合は非導通状態となり（ステップＳ６）、それにより、整流回路４１と昇圧定電圧回路４２及び切り替え制御部４４との接続が遮断された状態となり、有機ＥＬ発光層３３の点滅発光動作が停止する。
【００４４】
これにより、カード１を用いた決済において、その決済が完了したかどうかを視覚的に認識することができるようになる。なお、スイッチ回路５０は、整流回路４１と昇圧定電圧回路４２及び切り替え制御部４４との間に設けることに限らず、昇圧定電圧回路４２と定電流回路４３との間に設けてもよい。
【００４５】
なお、上述した実施の形態においては、電磁誘導によって電流が流れるアンテナ２１を用いたものを例に挙げて説明したが、照射される電波に共振して電流が流れるアンテナを用いたものであってもよい。
【００４６】
また、図１に示したカード１においては、有機ＥＬ発光層３３を覆うようにＩＴＯ３２が積層されているが、本発明のカードにおいては、レアメタルを使用しない透明電極や透明導電膜等をＩＴＯ３２の代わりに用いてもよい。
【００４７】
また、上述した実施の形態においては、発光媒体としてカード１を例に挙げて説明したが、本発明の発光媒体はカード１に限らず、上述したような発光部３０やアンテナ２１、制御回路３５が内包されたタグや、その一方の面に粘着剤が塗布されてなるラベル等にも適用することができる。
【符号の説明】
【００４８】
１    カード
２    リーダライタ
２ａ，２１    アンテナ
１０    表面シート
１１ａ〜１１ｃ    窓部
１５    粘着剤
２０    基板
３０    発光部
３１ａ〜３１ｃ    表示電極
３２    ＩＴＯ
３３    有機ＥＬ発光層
３４    保護フィルム
３５    制御回路
３６ａ，３６ｂ    配線パターン
３７    バイパス回路
４１    整流回路
４２    昇圧定電圧回路
４３    定電流回路
４４    切り替え制御部
４５，５０    スイッチ回路
４６    無線部
４７    通信制御部
４８    メモリ
４９    Ｉ／Ｆ部
【図１】
2010282417.tif 000003
【図２】
2010282417.tif 000004
【図３】
2010282417.tif 000005
【図４】
2010282417.tif 000006
【図５】
2010282417.tif 000007
【図６】
2010282417.tif 000008
【図７】
2010282417.tif 000009